(57)【要約】      （修正有）【課題】視覚障害者が楽しむことのできるようにした視覚障害者用ルービック遊戯具を提供する。【解決手段】複数のキューブによって多面体に構成される。複数の各キューブ１１、１２、１３の頂面には当該キューブが多面体のいずれの面を構成するかを識別するための面識別用突起２０が形成されている。キューブが多面体の面のいずれの位置に来るかを識別するための位置別用突起２１が更に形成されるのがよい。【選択図】図１
0003158393.tif 000002
【実用新案登録請求の範囲】
【請求項１】
複数のキューブによって多面体に構成され、視覚障害者が楽しむことができるようにしたルービック遊戯具において、
複数の各キューブ（１１、１２、１３）の頂面には当該キューブ（１１、１２、１３）が多面体のいずれの面を構成するかを識別するための面識別用突起（２０）が形成されていることを特徴とする視覚障害者用ルービック遊戯具。
【請求項２】
複数の各キューブ（１１、１２、１３）の頂面には当該キューブ（１１、１２、１３）が多面体の面のいずれの位置に来るかを識別するための位置別用突起（２１）が形成されている請求項１視覚障害者用ルービック遊戯具。
【考案の詳細な説明】
【技術分野】
【０００１】
本考案は視覚障害者用ルービック遊戯具に関し、特に視覚障害者が楽しむことのできるようにした遊戯具に関する。
【背景技術】
【０００２】
例えば、科学的な思考力を養う教育玩具が種々提供されており、その中でもルービックキューブ（登録商標）（以下、ルービック遊戯具という）は優れた商品であり、
世界的に普及し楽しまれている。
【０００３】
一般的に普及したルービック遊戯具は３×３×３タイプのものであり、２６個のキューブピースを特殊な継手を用いて３軸方向に回転可能なように組み立てられている（特許文献１）。
【０００４】
この種のルービック遊戯具ではキューブピースの表面が特定の色彩に着色され、あ
るいは特定の模様が描かれており、色彩が一致しあるいは特定の模様が完成するようにキ
ューブピースを回転させて遊ぶというものであった（特許文献２）。
【先行技術文献】
【特許文献】
【０００５】
【特許文献１】実用新案登録第３０１９２７３号公報
【特許文献２】特開２００６−０２０８９９号公報
【考案の開示】
【考案が解決しようとする課題】
【０００６】
しかし、視覚障害者がルービック遊戯具で遊ぼうとしても、色彩や模様を認識する
ことができないので、遊ぶことができない。
【０００７】
本考案はかかる問題点に鑑み、視覚障害者が遊ぶことのできるようにしたルービック遊戯具を提供することを課題とする。
【課題を解決するための手段】
【０００８】
そこで、本考案に係るルービック遊戯具は、複数のキューブによって多面体に構成されたルービック遊戯具において、複数の各キューブに多面体のうちの構成する面を識別するための面識別用突起が形成されていることを特徴とする。
【０００９】
本考案の特徴の１つは多面体のうちキューブが構成する面を識別するための突起を当該キューブに形成した点にある。これにより、視覚障害者がキューブの面識別用突起に触れると、そのキューブがどの面を構成するキューブであるかが分かるので、多面体の各面を構成するキューブを一致させると、健常者と同様に色彩が一致させあるいは特定の模様が完成するようにキューブを回転させて遊ぶことができる。
【００１０】
１つの面のキューブを考えた場合、多面体の面を揃えたときにキューブがその面のどの位置に来るかは決まっている。視覚障害者の場合、単に同一面を構成するキューブがあることが分かっても多面体のすべての面を揃えるのは難しい。そこで、キューブには構成する面を識別する面識別用突起とその面のどの位置のキューブであるかを示す位置識別用突起を形成するのがよい。
【００１１】
通常ルービック遊戯具ではキューブの頂面に着色し又は着色シールを貼着したカバー板を嵌め込んで構成されている。そこで、カバー板に視覚障害者用の面識別用突起や位置識別用突起を形成すればよく、この場合にカバー板に着色し又は模様を描くようにすると、健常者も本考案に係るルービック遊戯具を用いて遊ぶことができる。
【００１２】
もちろん、面識別用突起や位置識別用突起を形成し裏面に粘着剤を塗布し剥離紙を貼り付けたシールを製造し、このシールを既存のルービック遊戯具のキューブの頂面に貼り付けるようにしてもよい。
【図面の簡単な説明】
【００１３】
【図１】本考案に係る視覚障害者用ルービック遊戯具の好ましい実施形態を示す概略斜視図である。
【図２】上記実施形態における内部構造の１例を示す斜視図である。
【図３】第２の実施形態におけるシールを示す図である。
【考案を実施するための形態】
【００１４】
以下、本考案を図面に示す具体例に基づいて詳細に説明する。図１及び図２は本考案に係るルービック遊戯具１０は６個のセンターキューブ１１、８個のコーナーキューブ１２及び１２個のエッジキューブ１３を用いて六面体に構成されている。
【００１５】
６個のセンターキューブ１１はその円筒状部分がベースブロック３０の相互に直交する方向に延びるロッドに回転自在に外嵌され、コイルばねを介在させて止め具、例えばナットによって抜け止めされている。
【００１６】
８個のコーナーキューブ１２及び１２個のエッジキューブ１３には中心側に向けて係止突部（図示せず）が一体的に形成され、２６個の各キューブ１１、１２、１３の内側の面は球面状に形成され、該内側の面に隣接するキューブ１２、１３の係止突部がスライド自在に係止され、六面の各面を構成するキューブ１１、１２、１３がセンターキューブ１１を中心に回転させることができるようになっている。
【００１７】
また、センターキューブ１１は一面、エッジキューブ１３は二面、コーナーキューブ１２は三面が六面の面を構成する頂面となっており、頂面には六面のいずれの面を構成するキューブであるかを識別する面識別用突起２０が形成されるとともに、その面のいずれの位置に来るキューブから識別する位置識別用突起２１が形成されている。
【００１８】
本例ではサイコロの目と同様に、対向する面を構成するキューブ１１、１２、１３の頂面に１個と６個、２個と５個、３個と４個の面識別用突起２０が配列方向を並べて形成されるとともに、コーナーキューブ１２は外端側に１個の位置識別用突起２１が形成されるとともに、エッジキューブは１３は両側に２個の位置識別用突起２１が形成され、そのキューブが面のどの位置に来るキューブなのかを識別できるようにしている。
【００１９】
本例のルービック遊戯では視覚障害者がキューブ１２，１３の面識別用突起２０に触れると、そのキューブ１２、１３がどの面を構成するキューブであるかが分かり、位置識別用突起２１に触れると、面のどの位置のキューブであるかが分かるので、多面体の各面を構成するキューブ１１、１２、１３を手さぐりで一致させることができ、健常者と同様に色彩が一致させあるいは特定の模様が完成するようにキューブを回転させて遊ぶことができる。
【００２０】
図３は第３の実施形態を示し、本例ではセンターキューブ、コーナーキューブ及びエッジキューブの各頂面に貼り付けられる９枚のシール６組が組み合わされてシールセット４０が製造され、シールセット４０の各シールの表面には第１の実施形態と同様に面識別用突起と位置識別用突起とが形成され、裏面には粘着剤が塗布されて剥離紙が貼り付けられている。
【００２１】
本例ではシールセット４０からシールを剥がし、既存のルービック遊戯具のシールの９個の位置に対応する位置のキューブの頂面に貼り付けると、視覚障害者用ルービック遊戯具を得ることができる。
【符号の説明】
【００２２】
１０    視覚障害者用ルービック遊戯具
１１    センターキューブ
１２    コーナーキューブ
１３    エッジキューブ
２０    面識別用突起
２１    位置識別用突起
【図１】
0003158393.tif 000003
【図２】
0003158393.tif 000004
【図３】
0003158393.tif 000005
【手続補正書】
【提出日】平成22年1月25日(2010.1.25)
【手続補正１】
【補正対象書類名】実用新案登録請求の範囲
【補正対象項目名】全文
【補正方法】変更
【補正の内容】
【実用新案登録請求の範囲】
【請求項１】
複数のキューブによって多面体に構成され、視覚障害者が楽しむことができるようにしたルービック遊戯具において、
複数の各キューブ（１１、１２、１３）の頂面には当該キューブ（１１、１２、１３）が多面体のいずれの面を構成するかを識別するための面識別用突起（２０）が形成されていることを特徴とする視覚障害者用ルービック遊戯具。
【請求項２】
複数の各キューブ（１１、１２、１３）の頂面には当該キューブ（１１、１２、１３）が多面体の面のいずれの位置に来るかを識別するための位置識別用突起（２１）が形成されていることを特徴とする請求項１記載の視覚障害者用ルービック遊戯具。